(57)【要約】      （修正有）【課題】放射性物質、あるいは重金属を含む汚染物質を、複数の菌を用いて自然に除去する、あるいは汚染物質の温度監視、および掘り起こし工程によって、効率良く、短期間に放射性物質、あるいは重金属を除去できる微生物による放射線物質の除去方法、および重金属の除去方法を得る。【解決手段】少なくともラクトバチルス菌と好気性菌とを含む菌の混合物を用いて、放射性物質あるいは重金属を含む汚染物質を処理することにより、前記放射性物質あるいは重金属を除去することを特徴とする微生物による放射性物質の除去方法および重金属の除去方法とする。【選択図】なし【特許請求の範囲】
【請求項１】
少なくともラクトバチルス菌と好気性菌とを含む菌の混合物を用いて、放射性物質を含む汚染物質を処理することにより、前記放射性物質を除去することを特徴とする微生物による放射性物質の除去方法。
【請求項２】
前記ラクトバチルス菌は、自然由来のバチルス菌であることを特徴とする請求項１記載の微生物による放射性物質の除去方法。
【請求項３】
前記ラクトバチルス菌は、ラクトバチルス・ブルガリスク、ラクトバチルス・カゼイ、ラクトバチルス・ガゼリ、ラクトバチルス・ジョンソニ、ラクトバチルス・ラムノーザ、ラクトバチルス・ヘルベチカス、ラクトバチルス・ロイテリ、ラクトバチルス・アシドフィルスのいずれかであることを特徴とする請求項１または２記載の微生物による放射性物質の除去方法。
【請求項４】
前記好気性菌は、ＶＳ３４菌であることを特徴とする請求項１記載の微生物による放射性物質の除去方法。
【請求項５】
前記放射性物質を含む汚染物質は、土壌、農地、山林、畑、校庭、汚泥灰、燃焼灰、汚染水であることを特徴とする請求項１記載の微生物による放射性物質の除去方法。
【請求項６】
前記放射性物質を含む汚染物質は、水分含有率が、４０〜７０重量％であることを特徴とする請求項１記載の微生物による放射性物質の除去方法。
【請求項７】
前記少なくともラクトバチルス菌と好気性菌とを含む菌の混合物を用い、放射性物質を含む汚染物質に窒素成分の供給、および水の供給を行なって、前記放射性物質を除去することを特徴とする請求項１乃至６のいずれか１項に記載の微生物による放射性物質の除去方法。
【請求項８】
前記少なくともラクトバチルス菌と好気性菌とを含む菌の混合物を米糠にて培養し、
放射性物質を含む汚染物質に混入し、
前記放射性物質を含む汚染物質の温度を監視し、最高温度に上昇後、冷却過程において、温度３０〜３４°にて放射性物質を含む汚染物質の掘り起しの工程を行い、水を補給する工程を行い、米糠を補給する工程を行い、
前記放射性物質を含む汚染物質の掘り起しの工程、水を補給する工程、米糠を補給する工程を繰り返し行うことを特徴とする請求項１乃至７のいずれか１項に記載の微生物による放射性物質の除去方法。
【請求項９】
少なくともラクトバチルス菌と好気性菌とを含む菌の混合物を用いて、重金属を含む汚染物質を処理することにより、前記重金属を除去することを特徴とする微生物による重金属の除去方法。
【請求項１０】
前記ラクトバチルス菌は、自然由来のバチルス菌であることを特徴とする請求項９記載の微生物による重金属の除去方法。
【請求項１１】
前記ラクトバチルス菌は、ラクトバチルス・ブルガリスク、ラクトバチルス・カゼイ、ラクトバチルス・ガゼリ、ラクトバチルス・ジョンソニ、ラクトバチルス・ラムノーザ、ラクトバチルス・ヘルベチカス、ラクトバチルス・ロイテリ、ラクトバチルス・アシドフィルスのいずれかであることを特徴とする請求９記載の微生物による重金属の除去方法。
【請求項１２】
前記好気性菌は、ＶＳ３４菌であることを特徴とする請求項９記載の微生物による重金属の除去方法。
【請求項１３】
前記重金属を含む汚染物質は、土壌、農地、山林、畑、校庭、汚泥灰、燃焼灰、汚染水、海産物であることを特徴とする請求項９記載の微生物による微生物による重金属の除去方法。
【請求項１４】
前記重金属を含む汚染物質は、水分含有率が、４０〜７０重量％であることを特徴とする請求項９記載の微生物による重金属の除去方法。
【請求項１５】
前記少なくともラクトバチルス菌と好気性菌とを含む菌の混合物を用い、重金属を含む汚染物質に窒素成分の供給、および、水の供給を行なって、前記重金属を除去することを特徴とする請求項９乃至１４のいずれか１項に記載の微生物による重金属の除去方法。
【請求項１６】
前記少なくともラクトバチルス菌と好気性菌とを含む菌の混合物を米糠にて培養し、
重金属を含む汚染物質に混入し、
前記重金属を含む汚染物質土壌の温度を監視し、最高温度に上昇後、冷却過程において、温度３０〜３４°にて重金属を含む汚染物質の掘り起しの工程を行い、水を補給する工程を行い、米糠を補給する工程を行い、
前記重金属を含む汚染物質の掘り起しの工程、水を補給する工程、米糠を補給する工程を繰り返し行うことを特徴とする請求項９乃至１５のいずれか１項記載の微生物による重金属の除去方法。
【発明の詳細な説明】
【技術分野】
【０００１】
本発明は、少なくともラクトバチルス菌と好気性菌とを含む菌の混合物を用いて、放射性物質を含む汚染物質、あるいは重金属を含む汚染物質を処理して、前記汚染物質に含まれた放射線物質、あるいは重金属を除去する微生物による放射線物質の除去方法、および重金属の除去方法に関する。
【背景技術】
【０００２】
従来、微生物を用いて、放射線物質の除去方法する方法は、各種の方法が開示されている。例えば、特許文献１は、複合した部生物を利用した放射性物質の分解処理方法について、記載されている。
【０００３】
特許文献１の記載によれば、複合微生物体系の複合微生物動態系解析における複合発酵技術を用いて、処理槽内の酸化・変敗・腐敗を止め、すべての好気性および嫌気性フザリウム属菌群（
酸化性細菌群） を抑制し、沈澱槽において固形発酵を起こさせることで、複合微生物の循環サイクルを起させ、難分解性の放射能・放射性物質に対する分解菌、分解酵素を現生、発現させ、分解消失する方法を提供している。
【先行技術文献】
【特許文献】
【０００４】
【特許文献１】特開２００５−３２１３６５号公報
【発明の概要】
【発明が解決しようとする課題】
【０００５】
特許文献１では、プラント設備を必要とし、また、一般の土壌に対応することは、困難であるという問題点があった。
プラント設備が、高価であるという問題点もあった。
更に、特許文献１では、重金属に対する除去効果については、記載されていない。
【０００６】
本発明の課題は、放射性物質、あるいは重金属を含む汚染物質を、少なくともラクトバチルス菌と好気性菌とを含む菌の混合物をを用いて自然に除去する、あるいは汚染物質の温度監視、および掘り起こし工程によって、効率良く、短期間に放射性物質、あるいは重金属をに除去できる微生物による放射線物質の除去方法、および重金属の除去方法を提供することである。
【課題を解決するための手段】
【０００７】
請求項１に係る発明は、少なくともラクトバチルス菌と好気性菌とを含む菌の混合物を用いて、放射性物質を含む汚染物質を処理することにより、前記放射性物質を除去することを特徴とする微生物による放射性物質の除去方法である。ここで、処理とは、菌を繁殖させるために、すくなくとも窒素源を汚染物質に供給することである。
【０００８】
請求項２に係る発明は、前記ラクトバチルス菌は、自然由来のバチルス菌であることを特徴とする請求項１記載の微生物による放射性物質の除去方法である。
【０００９】
ここで、自然由来のバチルス菌とは、動物、家畜などの体内にて存在する菌であり、嫌気性菌である。
【００１０】
請求項３に係る発明は、前記ラクトバチルス菌は、ラクトバチルス・ブルガリスク、ラクトバチルス・カゼイ、ラクトバチルス・ガゼリ、ラクトバチルス・ジョンソニ、ラクトバチルス・ラムノーザ、ラクトバチルス・ヘルベチカス、ラクトバチルス・ロイテリ、ラクトバチルス・アシドフィルスのいずれかであることを特徴とする請求項１記載の微生物による放射性物質の除去方法であるが、これに限られない。
【００１１】
請求項４に係る発明は、前記好気性菌は、ＶＳ３４菌であることを特徴とする請求項１記載の微生物による放射性物質の除去方法である。なお、前記好気性菌は、ＶＳ３４菌以外の好気性菌であっも良い。また前記好気性菌は、空中に存在する菌でも良い。
【００１２】
請求項５に係る発明は、前記放射性物質を含む汚染物質は、土壌、農地、山林、畑、校庭、汚泥灰、燃焼灰、汚染水であることを特徴とする請求項１記載の微生物による放射性物質の除去方法である。
【００１３】
請求項６に係る発明は、前記放射性物質を含む汚染物質は、水分含有率が、４０〜７０重量％、好ましくは５０〜６０重量％、であることを特徴とする請求項１記載の微生物による放射性物質の除去方法である。
【００１４】
ここで、前記放射性物質を含む汚染物質は、水分含有率が、４０重量％未満であると、水分が少ないために、菌の動きが制限され、菌が繁殖することができなくなる。一方、放射性物質を含む汚染物質は、水分含有率が、７０重量％を超えると菌が、水に阻まれて、菌が繁殖することができなくなる。
【００１５】
請求項１から６の微生物による放射性物質の除去方法によれば、前記複数の菌を、放射性物質が含まれた汚染物質に混合した後は、自然放置した場合であっても、雨などにより水分が、汚染物質に自然に供給され、前記複数の菌が活性化され、前記放射性物質が除去されることが可能である。
【００１６】
請求項７に係る発明は、前記少なくともラクトバチルス菌と好気性菌とを含む菌の混合物を用い、放射性物質を含む汚染物質に窒素成分の供給、および水の供給を行なって、前記放射性物質を除去することを特徴とする請求項１乃至６のいずれか１項に記載の微生物による放射性物質の除去方法である。
【００１７】
請求項８に係る発明は、前記少なくともラクトバチルス菌と好気性菌とを含む菌の混合物を米糠にて培養し、放射性物質を含む汚染物質に混入し、前記放射性物質を含む汚染物質の温度を監視し、最高温度に上昇後、冷却過程において、温度３０〜３４°にて放射性物質を含む汚染物質の掘り起しの工程を行い、水を補給する工程を行い、米糠を補給する工程を行い、前記放射性物質を含む汚染物質の掘り起しの工程、水を補給する工程、米糠を補給する工程を繰り返し行うことを特徴とする請求項１乃至７のいずれか１項に記載の微生物による放射性物質の除去方法である。前記米糠は、窒素源を汚染物質に供給するものであり、請求項１に記載した処理の具体例である。窒素を含むものであれば、米糠以外でも、でんぷん、砂糖、その他も使用することが可能である。
【００１８】
請求項７，８の微生物による放射性物質の除去方法によれば、確実に、短期間に汚染物質から、放射線物質を除去することが可能である。
【００１９】
請求項９に係る発明は、少なくともラクトバチルス菌と好気性菌とを含む菌の混合物を用いて、重金属を含む汚染物質を処理することにより、前記重金属を除去することを特徴とする微生物による重金属の除去方法である。ここで、処理とは、菌を繁殖させるために、すくなくとも窒素源を汚染物質に供給することである。
【００２０】
請求項１０に係る発明は、前記ラクトバチルス菌は、自然由来のバチルス菌であることを特徴とする請求項９記載の微生物による重金属の除去方法。ここで、自然由来のバチルス菌とは、動物、家畜などの体内にて存在する菌であり、嫌気性菌である。
【００２１】
請求項１１に係る発明は、前記ラクトバチルス菌は、ラクトバチルス・ブルガリスク、ラクトバチルス・カゼイ、ラクトバチルス・ガゼリ、ラクトバチルス・ジョンソニ、ラクトバチルス・ラムノーザ、ラクトバチルス・ヘルベチカス、ラクトバチルス・ロイテリ、ラクトバチルス・アシドフィルスのいずれかであることを特徴とする請求９記載の微生物による重金属の除去方法であるが、これに限られない。
【００２２】
請求項１２に係る発明は、前記好気性菌は、ＶＳ３４菌であることを特徴とする請求項９記載の微生物による重金属の除去方法である。なお、前記好気性菌は、ＶＳ３４菌以外の好気性菌であっも良い。また前記好気性菌は、空中に存在する菌でも良い。
【００２３】
請求項１３に係る発明は、前記重金属を含む汚染物質は、土壌、農地、山林、畑、校庭、汚泥灰、燃焼灰、汚染水、海産物であることを特徴とする請求項９記載の微生物による微生物による重金属の除去方法である。
【００２４】
請求項１４に係る発明は、前記重金属を含む汚染物質は、水分含有率が、４０〜７０重量％好ましくは５０〜６０重量％、であることを特徴とする請求項９記載の微生物による重金属の除去方法である。
【００２５】
ここで、前記放射性物質を含む汚染物質は、水分含有率が、４０重量％未満であると、水分が少ないために、菌の動きが制限され、菌が繁殖することができなくなる。一方、放射性物質を含む汚染物質は、水分含有率が、７０重量％を超えると菌が、水に阻まれて、菌が繁殖することができなくなる。
【００２６】
請求項９から１４の微生物による重金属の除去方法によれば、前記複数の菌を、放射性物質が含まれた汚染物質に混合した後は、自然放置した場合であっても、雨などにより水分が、汚染物質に自然に供給され、前記複数の菌が活性化され、前記重金属が除去されることが可能である。
【００２７】
請求項１５に係る発明は、前記少なくともラクトバチルス菌と好気性菌とを含む菌の混合物を用い、重金属を含む汚染物質に窒素成分の供給、および、水の供給を行なって、前記重金属を除去することを特徴とする請求項９乃至１４のいずれか１項に記載の微生物による重金属の除去方法である。
【００２８】
請求項１６に係る発明は、前記少なくともラクトバチルス菌と好気性菌とを含む菌の混合物を米糠にて培養し、重金属を含む汚染物質に混入し、前記重金属を含む汚染物質土壌の温度を監視し、最高温度に上昇後、冷却過程において、温度３０〜３４°にて重金属を含む汚染物質の掘り起しの工程を行い、水を補給する工程を行い、米糠を補給する工程を行い、前記重金属を含む汚染物質の掘り起しの工程、水を補給する工程、米糠を補給する工程を繰り返し行うことを特徴とする請求項９乃至１５のいずれか１項記載の微生物による重金属の除去方法である。前記米糠は、窒素源を汚染物質に供給するものであり、請求項９に記載した処理の具体例である。窒素を含むものであれば、米糠以外でも、でんぷん、砂糖、その他も使用することが可能である。
【００２９】
請求項１５，１６の微生物による重金属の除去方法によれば、確実に、短期間に汚染物質から、重金属を除去することが可能である。
【発明の効果】
【００３０】
請求項１から６による微生物による放射線物質の除去方法によれば、自然状態の環境下の場合であっても、汚染物質から、放射線物質を除去することが可能である。
【００３１】
請求項７、８による微生物による放射線物質の除去方法によれば、確実に、短期間に汚染物質から、放射線物質を除去することが可能である。
【００３２】
請求項９から１４による微生物による重金属の除去方法によれば、自然状態の環境下の場合であっても、汚染物質から、重金属を除去することが可能である。
【００３３】
請求項１４，１６による微生物による重金属の除去方法によれば、確実に、短期間に汚染物質から、重金属を除去することが可能である。
【００３４】
本発明によれば、「放射性物質、あるいは重金属を含む汚染物質を、少なくともラクトバチルス菌と好気性菌とを含む菌の混合物を用いて、自然に除去する、あるいは汚染物質の温度監視、および掘り起こし工程によって、効率良く、短期間に放射性物質、あるいは重金属をに除去できる微生物による放射線物質の除去方法、および重金属の除去方法を提供できる。
【発明を実施するための形態】
【００３５】
本発明の微生物による放射性物質の除去方法は、少なくともラクトバチルス菌と好気性菌とを含む菌の混合物を用いて、放射性物質を含む汚染物質を処理することにより、前記放射性物質を除去することを特徴とする微生物による放射性物質の除去方法である。
ここで、処理とは、菌を繁殖させるために、すくなくとも窒素源を汚染物質に供給することである。この場合、窒素源が、自然環境下にて、汚染物質に供給される場合も含まれる。
【００３６】
ここで、前記ラクトバチルス菌は、自然由来のバチルス菌であることを特徴とする。
ラクトバチルス菌は、嫌気性菌であるが、例えば、ラクトバチルス・ブルガリスク、ラクトバチルス・カゼイ、ラクトバチルス・ガゼリ、ラクトバチルス・ジョンソニ、ラクトバチルス・ラムノーザ、ラクトバチルス・ヘルベチカス、ラクトバチルス・ロイテリ、ラクトバチルス・アシドフィルスのいずれかであるが、必ずしもこれらに限られない。
【００３７】
ここで、自然由来のバチルス菌とは、動物、家畜などの体内にて存在する菌であり、嫌気性菌である。
【００３８】
なお、自然由来とは異なる、人工的に作成したラクトバチルス菌は、、放射性物質の除去の効果が、自然由来のバチルス菌に比較して、低いことが判明している。
【００３９】
前記放射性物質を含む汚染物質は、土壌、農地、山林、畑、校庭、汚泥灰、燃焼灰、汚染水であるが、前記複数の菌を、放射性物質が含まれた汚染物質に混合した後は、自然放置し、、雨などにより水分が、自然に汚染物質に補給され、前記複数の菌が培養され、放射性物質が除去されることが可能である。
【００４０】
更に、本発明の微生物による放射性物質の除去方法は、少なくともラクトバチルス菌と好気性菌とを含む菌の混合物を用い、放射性物質を含む汚染物質に窒素成分の供給、および水の供給を行なって、前記放射性物質を除去することを特徴とする微生物による放射性物質の除去方法である。
【００４１】
更に、本発明の微生物による放射性物質の除去方法は、前記少なくともラクトバチルス菌と好気性菌とを含む菌の混合物を米糠にて培養し、放射性物質を含む汚染物質に混入し、
前記放射性物質を含む汚染物質の温度を監視し、最高温度に上昇後、冷却過程において、温度３０〜３４°にて放射性物質を含む汚染物質の掘り起しの工程を行い、水を補給する工程を行い、米糠を補給する工程を行い、前記放射性物質を含む汚染物質の掘り起しの工程、水を補給する工程、米糠を補給する工程を繰り返し行うことを特徴とする微生物による放射性物質の除去方法である。
【００４２】
前記放射性物質を含む汚染物質は、土壌、農地、山林、畑、校庭、汚泥灰、燃焼灰、汚染水であるが、前記放射性物質を含む汚染物質の掘り起しの工程、水を補給する工程、米糠を補給する工程を繰り返すことによって、加速的に、短期間に放射性物質を除去できる。
【００４３】
本発明の微生物による重金属の除去方法は、少なくともラクトバチルス菌と好気性菌とを含む菌の混合物を用いて、重金属を含む汚染物質を処理することにより、前記重金属を除去することを特徴とする微生物による重金属の除去方法である。
ここで、処理とは、菌を繁殖させるために、すくなくとも窒素源を汚染物質に供給することである。この場合、窒素源が、自然環境下にて、汚染物質に供給される場合も含まれる。
【００４４】
ここで、前記ラクトバチルス菌は、自然由来のバチルス菌であることを特徴とする。
ラクトバチルス菌は、嫌気性菌であるが、例えば、ラクトバチルス・ブルガリスク、ラクトバチルス・カゼイ、ラクトバチルス・ガゼリ、ラクトバチルス・ジョンソニ、ラクトバチルス・ラムノーザ、ラクトバチルス・ヘルベチカス、ラクトバチルス・ロイテリ、ラクトバチルス・アシドフィルスのいずれかであるが、必ずしもこれらに限られない。
【００４５】
ここで、自然由来のバチルス菌とは、動物、家畜などの体内にて存在する菌であり、嫌気性菌である。なお、自然由来とは異なる、人工的に作成したラクトバチルス菌は、、放射性物質の除去の効果が、自然由来のバチルス菌に比較して、低いことが判明している。
【００４６】
前記重金属を含む汚染物質は、土壌、農地、山林、畑、校庭、汚泥灰、燃焼灰、汚染水、海産物であるが、前記複数の菌を、重金属が含まれた汚染物質に混合した後は、自然放置し、、雨などにより水分が、自然に汚染物質に補給され、前記複数の菌が培養され、重金属が除去されることが可能である。
【００４７】
更に、本発明の微生物による重金属の除去方法は、少なくともラクトバチルス菌と好気性菌とを含む菌の混合物を用い、重金属を含む汚染物質に窒素成分の供給、および、水の供給を行なって、前記重金属を除去することを特徴とする微生物による重金属の除去方法である。
【００４８】
更に、本発明の微生物による重金属の除去方法は、前記少なくともラクトバチルス菌と好気性菌とを含む菌の混合物を米糠にて培養し、重金属を含む汚染物質に混入し、前記重金属を含む汚染物質土壌の温度を監視し、最高温度に上昇後、冷却過程において、温度３０〜３４°にて重金属を含む汚染物質の掘り起しの工程を行い、水を補給する工程を行い、米糠を補給する工程を行い、前記重金属を含む汚染物質の掘り起しの工程、水を補給する工程、米糠を補給する工程を繰り返し行うことを特徴とする微生物による重金属の除去方法である。
【００４９】
前記重金属を含む汚染物質は、土壌、農地、山林、畑、校庭、汚泥灰、燃焼灰、汚染水、海産物であるが、前記重金属を含む汚染物質の掘り起しの工程、水を補給する工程、米糠を補給する工程を繰り返すことによって、加速的に、短期間に重金属を除去できる。
【実施例】
【００５０】
本発明の微生物による放射性物質の除去方法、および重金属の除去方法の実施例について、以下説明する。
【００５１】
（実施例１）
実施例１は、放射性物質を含む採取土（５０kg）に対して、菌の放射性物質除去の効果を実験した結果である。使用した菌は、表１に示すごとく、２種類の菌の混合物とした。
表１の数値は、試験後３０日の場合と、３０日＋１０日後の場合の採取土のベクレル値である。
ラクトバチルス菌＋Ｓ３４菌＋クロレラ菌の場合
放射性セシウム１３４，１３７のベクレル値は、３０日後は、５１％減少し、さらに１０日後には、５２００Ｂｑ／ｋｇ減少し、これは、１日あたり、５２０Ｂｑ／ｋｇに換算される。
ラクトバチルス菌＋クロレラ菌の場合
放射性セシウム１３４，１３７のベクレル値は、３０日後は、５２％減少し、さらに１０日後には、５８００Ｂｑ／ｋｇ減少し、これは、１日あたり、５８０Ｂｑ／ｋｇに換算される。
【００５２】
ここで、本実施例１にて用いたラクトバチルス菌は、家畜の豚から採取したラクトバチルス菌である。
【００５３】
【表１】
2013122427.tif 000002
表１より、３０日経過後の、採取土のベクレル値は、５１〜５２％減少し、短期間（３０日）にて約半減することが確認できた。
【００５４】
表２は、表１での試験における、詳細な１日ごとの経過の表である。
放射性物質を含む採取土（５０kg）に対して、水分含有量を５０％に設定した。
米糠にて培養した菌を採取土に配合して、４日目に、温度が最高温度４８〜４９°に達した。その後、温度が低下し、７日目には、２７〜３６°となった。この時点は、菌が、周辺の栄養分（米糠）を食いつくした場合であって、ここで、通常のスコップにて、採取土を掘り起こす、切り返しを行う。この切り返しによって、菌が、再度、栄養分（米糠）と接触し、菌が繁殖する。
上記のサイクルを繰り返すが、水分、および米糠を適宜、補充する。
【００５５】
ここで、表２の場合は、米糠を使用したが、米糠は、窒素源を汚染物質に供給するものであり、窒素を含むものであれば、米糠以外でも、でんぷん、砂糖、その他も使用することが可能である。
【００５６】
【表２】
2013122427.tif 000003
表２より、採取土の温度管理を基準に、切り返しを行うことで、再度、菌が活性化（温度上昇）し、先の表１に示すように３０日経過後の、採取土のベクレル値は、５１〜５２％減少し、短期間（３０日）にて約半減することが確認できた。
【００５７】
なお、実施例１は、人工的に手を加えた場合であるが、菌を加えて、自然に戸外にて放置した場合でも、雨、窒素成分の自然環境下での補給により、菌を活性化するので、放射性物質の除去が行われる。但し、実施例１のように、人工的に手を加えた場合に比べて、放射性物質の除去の処理速度は、遅くなる。
【００５８】
（実施例２）
先の実施例１にて、放射性物質のベクレル値が、半減した、土壌(５０ｋｇ)を使用して、水分、養分を与えなかった場合の放射性物質のベクレル値を、表３に示す。
表３に示すように、放射性物資１３４，１３７のベクレル値には、変化がなかった。
従って、菌に、水分や養分を与えない場合、放射性物資１３４，１３７に変化が出ないことが確認された。これは、安全性の面で好ましい結果である。
【００５９】
【表３】
2013122427.tif 000004
表３によれば、菌が動かない場合は、採取土のベクレル値に、変化がなく、安全性が確認
できた。
【００６０】
（実施例３）
実施例３は、ほたて貝のきもに含まれる重金属（カドミニウム）について、先の表２に示す工程と同様の工程によって、重金属の除去を行い、重金属を、減少させた結果である。
使用した菌は、ラクトバチルス菌、ＶＳ３４菌、クロレラ菌の混合物である。
初期のデータである、ほたて貝のきもに含まれる重金属（カドミニウム）５ｐｐｍが、試験後（３０日後）には、１ｐｐｍに低下した。
他の海産物である、いか、あるいは、つぶ貝にも適用が可能である。
【産業上の利用可能性】
【００６１】
本発明の、微生物による放射性物質の除去方法、および重金属の除去方法によれば、安全に、安価にて、また短期間に放射性物質の除去、および重金属の除去が可能となり、土壌、農地、山林、畑、校庭、汚泥灰、燃焼灰、海産物などでの放射性物質の除去、および重金属の除去に寄与することができる。
現在の福島で行われている放射性物質の除去対策は、土壌の表面部分をけずりとる対策であるが、この方法では、本質的には放射性物質は、減少せず、単に場所が移動するのみであるが、本発明の微生物による放射性物質の除去によれば、放射性物質自体を減少できる効果がある。